(57)【要約】【課題】折戸の意匠を損なうことなく折戸の正面に取付けることが可能な緩衝装置を提供する。【解決手段】緩衝装置１００は、一方の戸板１１の正面に固着された第1の緩衝機構ユニット１１１と、他方の戸板１２の正面に固着された第２の緩衝機構ユニット１２１とを備える。ユニット１１１、１２１は、戸板１１の正面に固着される固定部材と、固定部材を覆うユニットカバー１１３と、固定部材１１２に保持され水平方向に圧縮され反発するダンパと、ダンパを隠しつつ固定部材に対して水平方向にスライドするダンパカバー１１６とを備えている。折戸１０の閉じ際に両ユニット１１１、１２１のダンパカバー１１６同士が当接し、両戸板１１、１２相互の閉鎖方向への回動に伴って両ダンパカバー１１６同士が押圧し合うことにより両ユニット１１１、１２１のダンパが同時に圧縮され、その反発力が制動力として折戸１０に作用する。【選択図】図１
2008248600.tif 000002
【特許請求の範囲】
【請求項１】
一方の戸板と他方の戸板とが互いに水平方向に回動自在に接続されてなる折戸の閉じ際における回動を制動する緩衝装置であって、
前記一方の戸板の前記他方の戸板との連結端部に取り付けられる緩衝機構ユニットと、
前記他方の戸板の前記一方の戸板との連結端部に固着される当接体とを備え、
前記緩衝機構ユニットは、
前記一方の戸板の正面又は上端面に固着される固定部材と、
前記固定部材により前記一方の戸板の正面に保持され前記他方の戸板側から水平方向に圧縮され反発するダンパと、
前記ダンパを隠しつつ前記基部に対して水平方向にスライドするカバー部材とを備え、
折戸の閉じ際に前記カバー部材と前記当接体とが互いに当接し、両戸板相互の閉鎖方向への回動に伴って前記カバー部材が前記当接体に押圧されることにより前記ダンパが圧縮されるように構成したことを特徴とする緩衝装置。
【請求項２】
前記カバー部材の外面には、前記カバー部材と前記当接体とが互いに当接した状態での両戸板相互の回動を円滑にすべく曲面部が形成されていることを特徴とする請求項１記載の緩衝装置。
【請求項３】
一方の戸板と他方の戸板とが互いに水平方向に回動自在に接続されてなる折戸の閉じ際における回動を制動する緩衝装置であって、
前記一方の戸板の前記他方の戸板との連結端部に取り付けられる第１の緩衝機構ユニットと、
前記他方の戸板の前記一方の戸板との連結端部に取り付けられる第２の緩衝機構ユニットとを備え、
第１の緩衝機構ユニットは、
前記一方の戸板の正面又は上端面に固着される第１の固定部材と、
第１の固定部材により前記一方の戸板の正面に保持され前記他方の戸板側から水平方向に圧縮され反発する第1のダンパと、
第1のダンパを隠しつつ第１の固定部材に対して水平方向にスライドする第１のカバー部材とを備え、
第２の緩衝機構ユニットは、
前記他方の戸板の正面又は上端面に固着される第２の固定部材と、
第２の固定部材により前記他方の戸板の正面に保持され前記一方の戸板側から水平方向に圧縮され反発する第２のダンパと、
第２のダンパを隠しつつ第２の固定部材に対して水平方向にスライドする第２のカバー部材とを備え、
両ユニットの当接体同士が当接し、両戸板相互の閉鎖方向への回動に伴って両当接体同士が押圧し合うことにより両ユニットのダンパが同時に圧縮されるように構成したことを特徴とする緩衝装置。
【請求項４】
前記第１のカバー部材および前記第２のカバー部材の外面には、両者が互いに当接した状態での両戸板相互の回動を円滑にすべく曲面部が形成されていることを特徴とする請求項３記載の緩衝装置。
【請求項５】
一方の戸板と他方の戸板とが互いに水平方向に回動自在に接続されてなる折戸の閉じ際における回動を制動する緩衝機構ユニットであって、
前記一方の戸板の正面又は上端面の前記他方の戸板との連結端部に固着される固定部材と、
前記固定部材により前記一方の戸板の正面に保持され前記他方の戸板側から水平方向に圧縮され反発するダンパと、
前記ダンパを隠しつつ前記固定部材に対して水平方向にスライドするカバー部材と、
折戸の閉じ際に前記カバー部材が前記他方の戸板に設けられた当接対象と当接し、両戸板相互の閉鎖方向への回動に伴って前記カバー部材が当該当接対象に押圧されることにより前記ダンパが圧縮されるように構成したことを特徴とする緩衝機構ユニット。
【発明の詳細な説明】
【技術分野】
【０００１】
本発明は、シンクキャビネットや吊り戸棚等の建具或いは食器棚、書棚等の家具などに装備される折戸の緩衝装置に関し、折戸を閉める際の戸板相互の急激な回動を制動する緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナーを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。この種の問題を解決するには、折戸を閉める際の戸板相互の急激な回動を緩衝装置で制動することが有効である。
【０００４】
従来、戸板の閉め際における急激な回動を制動する緩衝装置として、蝶番を介して戸板（扉）を取り付けた戸枠（框）の内側側面部に、戸板（扉）の木口面に当接して戸板（扉）の回動を制動する力を及ぼすダンパを埋設したものが知られている。この種のダンパは、戸枠（框）に埋設されたシリンダ内に、戸枠（框）の内側側面から出没するピストンとこれを常時突出させる側に付勢する復元ばねとを備え、戸板（扉）の極閉め際に戸板（扉）の木口面がピストンに当接し、復元ばねの反発力に抗してピストンが押されることにより、復元ばねの反発力をピストンを介して戸板（扉）に作用させる。（特許文献１、２）
【特許文献１】実開昭５３−１６６６１号公報
【特許文献２】実開昭５９−１１１２７９号公報
【発明の開示】
【発明が解決しようとする課題】
【０００５】
上述した従来の緩衝装置を折戸に取り付けるためには、ダンパを埋設するための取付穴を戸板に形成する必要があるため、緩衝装置を取り付けるために戸板に別途穴加工などを施さなければならない。また、従来の緩衝装置は、折戸の意匠が損なわれてしまうという理由から、折戸の正面すなわち折戸を閉じた状態において外側（手前側）から見える側の面に取り付けるということはなされ難かった。
【０００６】
本発明が解決しようとする課題は、緩衝装置を取り付けるために戸板に別途穴加工を施す必要がなく、且つ、折戸の意匠を損なうことなく折戸の正面に取付けることが可能な緩衝装置及び緩衝機構ユニットを提供することにある。
【課題を解決するための手段】
【０００７】
上記課題を解決するために、本発明の第1の構成の緩衝装置は、一方の戸板と他方の戸板とが互いに水平方向に回動自在に接続されてなる折戸の閉じ際における回動を制動する緩衝装置であって、前記一方の戸板の前記他方の戸板との連結端部に取り付けられる緩衝機構ユニットと、前記他方の戸板の正面の前記一方の戸板との連結端部に固着される当接体とを備え、前記緩衝機構ユニットは、前記一方の戸板の正面又は上端面に固着される固定部材と、前記固定部材により前記一方の戸板の正面に保持され前記他方の戸板側から水平方向に圧縮され反発するダンパと、前記ダンパを隠しつつ前記基部に対して水平方向にスライドするカバー部材とを備え、折戸の閉じ際に前記カバー部材と前記当接体とが互いに当接し、両戸板相互の閉鎖方向への回動に伴って前記カバー部材が前記当接体に押圧されることにより前記ダンパが圧縮されるように構成したことを特徴としている。
【０００８】
本発明の第1の構成の緩衝装置において、前記カバー部材の外面には、前記カバー部材と前記当接体とが互いに当接した状態での両戸板相互の回動を円滑にすべく曲面部が形成されていることが望ましい。
【０００９】
本発明の第２の構成の緩衝装置は、一方の戸板と他方の戸板とが互いに水平方向に回動自在に接続されてなる折戸の閉じ際における回動を制動する緩衝装置であって、前記一方の戸板の前記他方の戸板との連結端部に取り付けられる第１の緩衝機構ユニットと、前記他方の戸板の前記一方の戸板との連結端部に取り付けられる第２の緩衝機構ユニットとを備え、第１の緩衝機構ユニットは、前記一方の戸板の正面又は上端面に固着される第１の固定部材と、第１の固定部材により前記一方の戸板の正面に保持され前記他方の戸板側から水平方向に圧縮され反発する第1のダンパと、第1のダンパを隠しつつ第１の固定部材に対して水平方向にスライドする第１のカバー部材とを備え、第２の緩衝機構ユニットは、前記他方の戸板の正面又は上端面に固着される第２の固定部材と、第２の固定部材により前記他方の戸板の正面に保持され前記一方の戸板側から水平方向に圧縮され反発する第２のダンパと、第２のダンパを隠しつつ第２の固定部材に対して水平方向にスライドする第２のカバー部材とを備え、両ユニットの当接体同士が当接し、両戸板相互の閉鎖方向への回動に伴って両当接体同士が押圧し合うことにより両ユニットのダンパが同時に圧縮されるように構成したことを特徴としている。
【００１０】
本発明の第２の構成の緩衝装置において、前記第１のカバー部材および前記第２のカバー部材の外面には、両者が互いに当接した状態での両戸板相互の回動を円滑にすべく曲面部が形成されていることが望ましい。
【００１１】
本発明の緩衝機構ユニットは、一方の戸板と他方の戸板とが互いに水平方向に回動自在に接続されてなる折戸の閉じ際における回動を制動する緩衝機構ユニットであって、前記一方の戸板の正面又は上端面の前記他方の戸板との連結端部に固着される固定部材と、前記固定部材により前記一方の戸板の正面に保持され前記他方の戸板側から水平方向に圧縮され反発するダンパと、前記ダンパを隠しつつ前記固定部材に対して水平方向にスライドするカバー部材と、折戸の閉じ際に前記カバー部材が前記他方の戸板に設けられた当接対象と当接し、両戸板相互の閉鎖方向への回動に伴って前記カバー部材が当該当接対象に押圧されることにより前記ダンパが圧縮されるように構成したことを特徴としている。
【００１２】
上記のように構成された緩衝装置及び緩衝機構ユニットは、本発明の緩衝装置又は緩衝機構ユニットは、前記カバー部材によって前記ダンパと共に前記固定部材が隠されるように構成されてもよい。
【発明の効果】
【００１３】
上記のように構成された緩衝装置及び緩衝機構ユニットは、戸板の正面又は上端面に固着することにより折戸に取り付けられるので、緩衝装置を取り付けるために戸板に別途穴加工を施す必要がない。また、この緩衝装置及び緩衝機構ユニットは、カバー体によってダンパが隠されているので、折戸の意匠を損なうことなく折戸の正面に取付けることができる。
【発明を実施するための最良の形態】
【００１４】
以下本発明を、図面を参照しながら、実施形態に即して詳細に説明する。
【００１５】
［第１の形態例］
図１は本発明の第１の形態例の緩衝装置を備えた折戸装置の正面図である。図２は図１に示す緩衝装置の緩衝機構ユニットを第1の方向から見た分解斜視図である。図３は図１に示す緩衝装置の緩衝機構ユニットを第２の方向から見た分解斜視図である。
【００１６】
図１に示す折戸装置１は、左右一対の戸板１１、１２を蝶番２１、２２、２３により互いに水平方向に回動自在に連結してなる折戸１０と、折戸１０の上方に敷かれたレール３０と、折戸１０をレール３０に吊り下げた状態でレール３０に沿って移動自在に支持しているランナー４１、４２と、レール３０が取り付けられた戸枠５０と、折戸１０の閉じ際における戸板１１、１２相互の急激な回動を制動すべく装備された緩衝装置１００とを備えている。蝶番２１、２２、２３は、折戸用の蝶番として広く用いられている公知の蝶番である。蝶番２１、２２、２３は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。この例では、緩衝装置１００は、三つの蝶番２１、２２、２３のうち最も高い位置に設けられた蝶番２１と折戸１０の上端縁との中間位置に設けられている。なお、図１に示されている蝶番２１、２２、２３は、実際には折り戸１０の正面からは見えない。
【００１７】
この緩衝装置１００は、一方の戸板１１の正面の他方の戸板１２との連結端部に取り付けられた第１の緩衝機構ユニット１１１と、他方の戸板１２の正面の一方の戸板１１との連結端部に取り付けられた第２の緩衝機構ユニット１２１とを備えている。
【００１８】
図２及び図３に示すように、第１の緩衝機構ユニット１１１は、一方の戸板１１の正面に固着される第1の固定部材１１２と、第1の固定部材１１２を覆う第1のユニットカバー１１３と、第1の固定部材１１２に保持され他方の戸板１２側から水平方向に圧縮され反発する第1のダンパ１１４と、第1のダンパ１１４を隠しつつ第1の固定部材１１２に対して水平方向にスライドする第１のダンパカバー（カバー部材）１１６、第１のダンパ位置調節機構１１７とを備えている。
【００１９】
第２の緩衝機構ユニット１２１は、第１の緩衝機構ユニット１１１と同一構成のユニットである。すなわち、図２及び図３は第２の緩衝機構ユニット１２１の構成を示す図でもあり、第２の緩衝機構ユニット１２１は、他方の戸板１２の正面に固着される第２の固定部材１１２と、第２の固定部材１１２を覆う第２のユニットカバー１１３と、第２の固定部材１１２に保持され一方の戸板１１側から水平方向に圧縮され反発する第２のダンパ１１４と、第２のダンパ１１４を隠しつつ第２の固定部材１１２に対して水平方向にスライドする第２のダンパカバー（カバー部材）１１６と、第２のダンパ位置調節機構１１７を備えている。
【００２０】
両ユニット１１１、１２１は、折戸１０の閉じ際に互いのダンパカバー１１６同士が当接するように向き合わせて、それぞれの戸板１１、１２の正面に取り付けられている。
【００２１】
固定部材１１２は、戸板１１、１２の正面に締着される平板状の座部１１２ｃと、この座部１１２ｃと一体に形成されたダンパ保持部１１２ａとからなり、ダンパ保持部１１２ａにダンパ１１４が保持されている。座部１１２ｃにはその複数箇所に螺子挿通孔１１２ｂが形成されており、図示しない螺子を螺子挿通孔１１２ｂを通して戸板１１、１２の正面にねじ込んで締め付けることにより、固定部材１１２が戸板１１、１２に固定されている。螺子孔には螺子の頭部が係合するようになっている。ダンパ保持部１１２ａの上下外側部には水平方向（ダンパ１１４の圧縮・反発方向）に延びる一対のガイド突起１１２ｅが形成されている。
【００２２】
ダンパ１１４は、シリンダ１１４ａとピストンロッド１１４ｂとを備え、そのシリンダ１１４ａの基端側がシリンダ保持部１１２ａに収容された状態で保持されている。シリンダ１１４ａの長手方向中間部には全周に亘ってフランジ状の係合突起１１４ｃが形成されている。ダンパ１１４の内部構成は特に制限されるものではなく、折戸１０に要求される緩衝性能などを考慮して公知のものを適宜選択することができる。具体的には、特開２００４−１９０４７０号公報にオイル緩衝器として開示されたダンパをあげることができる。
【００２３】
ユニットカバー１１３は、ダンパカバー１１６と協働して固定部材１１２及びダンパ１１４を全体的に隠す部材であり、その戸体側周縁部を固定部材１１２の座部１１２ｃの周縁部に嵌合させることにより固定部材１１２に取り付けられている。ユニットカバー１１３には、その先端の中央部から正面の中間部にかけて水平に延びる切欠部１１３ａが形成されており、この切欠部１１３ａの先端からダンパ１１４の先端部が突出している。
【００２４】
ダンパカバー１１６は、固定部材１１２のダンパ保持部１１２ａの両ガイド突起１１２ｅとそれぞれスライド可能に嵌合している一対のガイド溝１１６ｃを有し、固定部材１１２に対して水平方向に移動可能に設けられるとともに、その先端面１１６ａを戸板１１、１２の連結端から突出させるべくダンパ１１４により付勢されている。ダンパカバー１１６は、ユニットカバー１１３の切欠部１１３ａを隠しつつユニットカバー１１３に対し水平方向にスライドする正面カバー部１１６ｄと、ユニットカバー１１３内に位置する基部１１６ｅと、これら正面カバー部１１６ｄと基部１１６ｅとを連結している当接部１１６ｆとで構成される。基部１１６ｅは、ダンパ保持部１１２ａにシリンダ１１４ａとともに収容されるダンパ連結部１１６ｇと、ダンパ保持部１１２ａの両外側部に嵌合する一対のガイド部１１６ｈとを有し、両ガイド部１１６ｈの内側に上記一対のガイド溝１１６ｃが形成されている。ダンパ連結部１１６ｇには係合突起１１６ｉが形成されており、この両係合突起１１６ｉがダンパ１１４の係合突起１１４ｃと係合することにより、ダンパ１１４からのダンパカバー１１６の離脱が防止されている。当接部１１６ｆの外面には、ダンパカバー１１６同士が当接した状態での両戸板１１、１２相互の回動を円滑にすべく曲面部１１６ｂが形成されている。
【００２５】
ダンパ位置調節機構１１７は、ダンパ保持部１１２ａの基端部に嵌合させて固定された筒状の雌螺子体１１７ａと、雌螺子体１１７ａに螺合する棒状の雄螺子体１１７ｂとからなる。シリンダ１１４ａの基端部は雌螺子体１１７ａに挿入され雄螺子体１１７ｂに当接しており、雄螺子体１１７ｂのねじ込み量を調節することによりダンパ１１４の水平方向における保持位置を微調節できるようになっている。すなわち、雄螺子体１１７ｂのねじ込み量を大きくすることによりシリンダ１１４ａの保持位置をユニットカバー１１３からのダンパ１１４の突出量がより大きくなる側に移動させることができ、逆に、雄螺子体１１７ｂのねじ込み量を小さくすれば、シリンダ１１４ａの保持位置をユニットカバー１１３からのダンパ１１４の突出量がより小さくなる側に移動させることができる。これにより緩衝機構ユニット１１１、１２１の効きを調節することが可能となる。
【００２６】
次に、上記のように構成された緩衝装置１００の動作について説明する。
【００２７】
図４は折戸装置１の開閉時における一連の状態を示す部分斜視図である。図５は折戸装置１の開閉時における一連の状態を示す部分平面図である。図４、図５において、（ａ）は折戸１０が全開の状態である。この状態から折戸１０を閉めていくと、（ｂ）の状態を経て、（ｃ）の状態すなわち折戸１０の折曲角度が略１２５度になった時点で、蝶番２１、２２、２３のキャッチ機構が作動し、その働きにより折戸１０が強制的に（ｄ）の状態すなわち全閉状態まで誘導される。その際、蝶番２１、２２、２３のキャッチ機構の作動開始後から折戸１０が全閉状態になるまでの間の所定のタイミングで、両緩衝機構ユニット１１１、１２１のダンパカバー１１６の当接部１１６ｆ同士が当接し、両戸板１１、１２相互の閉鎖方向への回動に伴って両ダンパカバー１１６同士が押圧し合うことにより両緩衝機構ユニット１１１、１２１のダンパ１１４が同時に圧縮され、緩衝装置１００による制動力が効き始める。これにより、折戸１０は閉め際における両戸板１１、１２相互の急激な回動が制動されつつ、全閉状態まで静かに誘導される。
【００２８】
上記のように、この緩衝装置１００は、両緩衝機構ユニット１１１、１２１の固定部材１１２を戸板１１、１２に螺子で締着することにより折戸１０に取り付けることができるので、緩衝装置１００を取り付けるために戸板１１、１２に別途穴加工を施す必要がない。したがって、この緩衝装置１００によれば、緩衝機構を備えた折戸装置１を従来よりも少ない工数で製造することができる。また、この緩衝装置１００は、二つのダンパ１１４を同時に働かせるように構成されているので、折戸１０の閉め際における両戸板１１、１２相互の急激な回動を二つのダンパ１１４による強い緩衝力によって確実に制動できる。また、両緩衝機構ユニット１１１、１２１は、固定部材１１２がユニットカバー１１３で隠され且つユニットカバー１１３の切欠部１１３ａがダンパカバー１１６で隠された構造すなわち、ユニット１１１、１２１の内部が全く見えない構造になっているので、折戸１０の意匠を損なうことなく折戸１０の正面に取付けることができる。意匠（形状、模様、色彩、質感など）の異なる複数種類のユニットカバー１１３及びダンパカバー１１６を提供し、その中から任意のユニットカバー１１３及びダンパカバー１１６を選択できるようにしておけば、折戸１０の様々な意匠に適応させることができ、正面に緩衝装置１００が取り付けられていることによる違和感を生じさせない意匠的に優れた折戸装置１を実現できる。
【００２９】
さらに、この緩衝装置１００は、ダンパ１１４のピストンロッド１１４ｂなどがダンパカバー１１６により保護されているので極めて耐久性が高い。長期の使用によりダンパカバー１１６の先端が摩耗した場合には、ダンパカバー１１６のみ取り外して交換すればよいのでメンテナンス性も優れている。また、両方の戸板１１、１２にそれぞれ緩衝機構ユニット１１１、１２１を設けたことで、いずれか一方の戸板のみに設ける場合と比べて緩衝能力を向上させることができ、あるいはダンパ１１４として小型のものを採用することができる。
【００３０】
なお、上記の例では、両方の戸板１１、１２にそれぞれ緩衝機構ユニット１１１、１２１を設けた緩衝装置の構成例について説明したが、例えば、他方の戸板１２には第２の緩衝機構ユニット１２１の代わりに単なる当接体（当接対象）を固定して設け、折戸１０の閉じ際に第１の緩衝機構ユニット１１１のダンパカバー１１６と当該当接体とが互いに当接し、両戸板１１、１２相互の閉鎖方向への回動に伴ってダンパカバー１１６が当該当接体に押圧されることにより第１の緩衝機構ユニット１１１のダンパ１１４が圧縮されるように構成してもよい。当接体は、第１の緩衝機構ユニット１１１に対し反力を及ぼすことが可能な部材であればよい。
【００３１】
［第２形態例］
図６は本発明の第２の形態例の緩衝装置を備えた折戸装置の正面図である。図７は図６に示す緩衝装置の緩衝機構ユニットの斜視図である。図８は図６に示す緩衝装置の緩衝機構ユニットの分解斜視図である。なお、図６に示されている蝶番２１、２２、２３は実際には折戸１０の正面からは見えない。
【００３２】
この形態例の緩衝装置１３０は、一方の戸板１１の正面の他方の戸板１２との連結端部に取り付けられた第１の緩衝機構ユニット１３１と、他方の戸板１２の正面の一方の戸板１１との連結端部に取り付けられた第２の緩衝機構ユニット１３２とを備えている。
【００３３】
図７及び図８に示すように、第１の緩衝機構ユニット１３１は、一方の戸板１１の上端面に固着される第1の固定部材１１２と、第1の固定部材１１２により一方の戸板１１の正面に保持され他方の戸板１２側から水平方向に圧縮され反発する第1のダンパ１１４と、第1の固定部材１１２及び第1のダンパ１１４を隠しつつ第1の固定部材１１２に対して水平方向にスライドする第１のユニットカバー（カバー部材）１１６と、第１のダンパ位置調節機構１１７とを備えている。
【００３４】
第２の緩衝機構ユニット１３２は、第１の緩衝機構ユニット１３１と同一構成のユニットである。すなわち、図７及び図８は第２の緩衝機構ユニット１３２の構成を示す図でもあり、第２の緩衝機構ユニット１３２は、他方の戸板１２の上端面に固着される第２の固定部材１１２と、第２の固定部材１１２により他方の戸板１２の正面に保持され一方の戸板１１側から水平方向に圧縮され反発する第２のダンパ１１４と、第２の固定部材１１２及び第２のダンパ１１４を隠しつつ第２の固定部材１１２に対して水平方向にスライドする第２のユニットカバー（カバー部材）１１６と、第２のダンパ位置調節機構１１７とを備えている。
【００３５】
両ユニット１３１、１３２は、折戸１０の閉じ際に互いのダンパカバー１１６同士が当接するように向き合わせて、それぞれの戸板１１、１２に取り付けられている。
【００３６】
固定部材１１２は、断面Ｌ字形状の座部１１２ｃを有している。座部１１２ｃは、戸板１１、１２の上端面に接する横板部と戸板１１、１２の正面に接する縦板部とからなる。座部１１２ｃの縦板部にはその複数箇所（図示の例では二箇所）に螺子挿通孔１１２ｂが形成されており、図示しない螺子を螺子挿通孔１１２ｂを通して戸板１１、１２の上端面にねじ込んで締め付けることにより、固定部材１１２が戸板１１、１２に固定される。螺子挿通孔１１２ｂには螺子の頭部が係合するようになっている。座部１１２ｃの縦板部にはダンパ保持部１１２ａが一体的に形成されている。ダンパ保持部１１２ａの上下外側部には水平方向（ダンパ１１４の圧縮・反発方向）に延びる一対のガイド突起１１２ｅが形成されている。
【００３７】
ダンパ１１４は、シリンダ１１４ａとピストンロッド１１４ｂとを備え、そのシリンダ１１４ａの基端側がシリンダ保持部１１２ａに摺動可能に収容された状態で保持されている。
【００３８】
ユニットカバー１１６は、固定部材１１２の縦板部、ダンパ保持部１１２ａ、及びダンパ１１４を全体的に覆い隠すようにして収容した横長の箱状の部材である。ユニットカバー１１６は、固定部材１１２のダンパ保持部１１２ａの両ガイド突起１１２ｅとそれぞれスライド可能に嵌合している図示しない一対のガイド溝を内壁部に有し、固定部材１１２に対して水平方向に移動可能に設けられるとともに、その先端面１１６ａを戸板１１、１２の連結端から突出させるべくダンパ１１４により付勢されている。ユニットカバー１１６の先端面１１６ａには、ユニットカバー１１６同士が当接した状態での両戸板１１、１２相互の回動を円滑にすべく曲面部１１６ｂが形成されている。
【００３９】
ダンパ位置調節機構１１７は、ダンパ保持部１１２ａの基端部に形成された雌螺子部１１７ａと、雌螺子部１１７ａに螺合する棒状の雄螺子体１１７ｂとからなる。シリンダ１１４ａの基端部は雄螺子体１１７ｂに当接しており、雄螺子体１１７ｂの雌螺子部１１７ａへのねじ込み量を調節することによりダンパ１１４の水平方向における保持位置を微調節できるようになっている。すなわち、雄螺子体１１７ｂのねじ込み量を大きくすることによりシリンダ１１４ａの保持位置を戸板１１、１２の連結端からのユニットカバー１１６の突出量がより大きくなる側に移動させることができ、逆に、雄螺子体１１７ｂのねじ込み量を小さくすれば、シリンダ１１４ａの保持位置を戸板１１、１２の連結端からのユニットカバー１１６の突出量がより小さくなる側に移動させることができる。これにより緩衝機構ユニット１３１、１３２の効きを調節することが可能となる。ユニットカバー１１６の基端側の端板部はカバー本体に対して脱着可能なキャップ１１６ｃになっており、このキャップ１１６ｃを取り外すことにより、ユニットカバー１１６をダンパ保持部１１２ａに保持させた状態のままで、雄螺子体１１７ｂのねじ込み量を調節できるようになっている。
【００４０】
次に、上記のように構成された第２の形態例の緩衝装置１３０の動作は図４及び図５で説明した第１の形態例の緩衝装置１００の動作と同様である。
【００４１】
この緩衝装置１３０は、両緩衝機構ユニット１３１、１３２の固定部材１１２を戸板１１、１２に螺子で締着することにより折戸１０に取り付けることができるので、緩衝装置１３０を取り付けるために戸板１１、１２に別途穴加工を施す必要がない。したがって、この緩衝装置１３０によれば、緩衝機構を備えた折戸装置１を従来よりも少ない工数で製造することができる。また、この緩衝装置１３０は、二つのダンパ１１４を同時に働かせるように構成されているので、折戸１０の閉め際における両戸板１１、１２相互の急激な回動を二つのダンパ１１４による強い緩衝力によって確実に制動できる。また、両緩衝機構ユニット１３１、１３２は、使用時にその内部が全く見えない構造になっているので、折戸１０の意匠を損なうことなく折戸１０の正面に取付けることができる。意匠（形状、模様、色彩、質感など）の異なる複数種類のユニットカバー１１６を提供し、その中から任意のユニットカバー１１６を選択できるようにしておけば、折戸１０の様々な意匠に適応させることができ、正面に緩衝装置１３０が取り付けられていることによる違和感を生じさせない意匠的に優れた折戸装置１を実現できる。
【００４２】
さらに、この緩衝装置１３０は、ダンパ１１４のピストンロッド１１４ｂなどがユニットカバー１１６により保護されているので極めて耐久性が高い。長期の使用によりユニットカバー１１６の先端が摩耗した場合には、ユニットカバー１１６のみ取り外して交換すればよいのでメンテナンス性も優れている。また、両方の戸板１１、１２にそれぞれ緩衝機構ユニット１３１、１３２を設けたことで、いずれか一方の戸板のみに設ける場合と比べて緩衝能力を向上させることができ、あるいはダンパ１１４として小型のものを採用することができる。
【００４３】
なお、上記の例では、両方の戸板１１、１２にそれぞれ緩衝機構ユニット１３１、１３２を設けた緩衝装置の構成例について説明したが、例えば、他方の戸板１２には第２の緩衝機構ユニット１３２の代わりに単なる当接体（当接対象）を固定して設け、折戸１０の閉じ際に第１の緩衝機構ユニット１３１のユニットカバー１１６と当該当接体とが互いに当接し、両戸板１１、１２相互の閉鎖方向への回動に伴ってユニットカバー１１６が当該当接体に押圧されることにより第１の緩衝機構ユニット１３１のダンパ１１４が圧縮されるように構成してもよい。
【００４４】
また、上記の例では、上荷重式の折戸装置について説明したが、本発明の緩衝装置は下荷重式の折戸装置に装備しても有効に機能する。
【図面の簡単な説明】
【００４５】
【図１】本発明の第１の形態例の緩衝装置を備えた折戸装置の正面図
【図２】図１に示す緩衝装置の緩衝機構ユニットを第1の方向から見た分解斜視図
【図３】図１に示す緩衝装置の緩衝機構ユニットを第２の方向から見た分解斜視図
【図４】折戸装置１の開閉時における一連の状態を示す部分斜視図
【図５】折戸装置１の開閉時における一連の状態を示す部分平面図
【図６】本発明の第２の形態例の緩衝装置を備えた折戸装置の正面図
【図７】図６に示す緩衝装置の緩衝機構ユニットの斜視図
【図８】図６に示す緩衝装置の緩衝機構ユニットの分解斜視図
【符号の説明】
【００４６】
１  折戸装置
１１、１２  戸板
１０  折戸
１００  緩衝装置
１１１  第１の緩衝機構ユニット
１１２  固定部材
１１２ａ  ダンパ保持部
１１２ｂ  螺子挿通孔
１１２ｃ  座部
１１２ｅ  ガイド突起
１１３  ユニットカバー
１１４  ダンパ
１１６  カバー部材（ダンパカバー、ユニットカバー）
１１６ｂ  曲面部
１１６ｆ  当接部
１１７  ダンパ位置調節機構
１２１  第２の緩衝機構ユニット
１３０  緩衝装置
１３１  第１の緩衝機構ユニット
１３２  第２の緩衝機構ユニット
【図１】
2008248600.tif 000003
【図２】
2008248600.tif 000004
【図３】
2008248600.tif 000005
【図４】
2008248600.tif 000006
【図５】
2008248600.tif 000007
【図６】
2008248600.tif 000008
【図７】
2008248600.tif 000009
【図８】
2008248600.tif 000010